(57)【要約】【課題】犬の散歩に際して犬と一緒に邪魔にならず携行することができ、また連れている犬が糞を排泄するとき、携行している装置の回収容器の中に脱糞することを可能にした犬の糞回収装置を提供すること。【解決手段】ほぼ杖状をなす支柱と、該支柱の上端部に設けた引手用ハンドルと、前記支柱の下端部において前部側に設けたキャスタと、該キャスタの反対側に起状自在に設けた環状枠体であって、いわゆるコンビニ袋のような柔軟な袋状容器の口部を開口状態で装着できる枠体と、前記ハンドルに取付けられた操作レバーであって、そのレバーに押し引きされるように接続されたワイヤーの先端側を、前記起伏自在の環状枠体に接続して成る当該枠体の起伏操作機構とを備えたこと。【選択図】図１
2013123432.tif 000002
【特許請求の範囲】
【請求項１】
ほぼ杖状の支柱と、該支柱の上端部に設けた引手用ハンドルと、前記支柱の下端部において前部側に設けたキャスタと、該キャスタの反対側に起状自在に設けた環状枠体であって、いわゆるコンビニ袋のような袋状容器の口部を開口状態で装着できる枠体と、前記ハンドルに取付けられた操作レバーであってそのレバーに押し引きされるように接続されたワイヤーの先端側を前記起伏自在の環状枠体に接続して成る当該枠体の起伏操作機構とを備えたことを特徴とする犬の糞の回収装置。
【請求項２】
支柱に、水などの液体を入れたペットボトルのような液体容器のホルダを設けた請求項１の犬の糞回収装置。
【請求項３】
ハンドルと環状枠体は、支柱に対して直角に取付けるか、または、その直角から非直角な角度に、取付角度を変更できるようにした請求項１又は２の犬の糞回収装置。
【請求項４】
ハンドルと環状枠体の取付角度の変更は、リンク連結によって連動するようにした請求項３の犬の糞回収装置。
【請求項５】
環状枠体の平面外輪郭形状は、四角形，台形，円形のいずれかである請求項１〜４のいずれかの犬の糞回収装置。
【発明の詳細な説明】
【技術分野】
【０００１】
本発明は犬を連れた散歩中にその犬が糞を排泄するとき、排泄されている糞を地上に落すことなく排泄と同時にそのまま糞を収容できるようにした犬の糞回収装置に関する。
【背景技術】
【０００２】
近時のペットブームで犬を飼う人が大幅に増えたこともあって犬を連れた散歩中の犬の糞の不始末は、衛生上も、美観上もきわめて不都合であり社会問題化している。
【０００３】
このような問題については、特許文献１〜４などに例示されるように、従来から多くの犬の糞の回収に関する提案がなされているが、広く実用化された犬の糞の始末ができる装置は未だ見当らない。
【先行技術文献】
【特許文献】
【０００４】
【特許文献１】特許２９２２４２２号公報
【特許文献２】特許２９７９４７４号公報
【特許文献３】特許３６４６１５２号公報
【特許文献４】特許３８０７６１７号公報
【発明の概要】
【発明が解決しようとする課題】
【０００５】
そこで本発明は、犬の散歩に際して犬と一緒に邪魔にならず携行することができ、また連れている犬が糞を排泄するとき、携行している装置の回収容器の中に脱糞することを可能にした犬の糞回収装置を提供することを、課題とする。
【課題を解決するための手段】
【０００６】
上記課題を解決することを目的としてなされた本発明犬の糞回収装置の構成は、ほぼ杖状をなす支柱と、該支柱の上端部に設けた引手用ハンドルと、前記支柱の下端部において前部側に設けたキャスタと、該キャスタの反対側に起状自在に設けた環状枠体であって、いわゆるコンビニ袋のような柔軟な袋状容器の口部を開口状態で装着できる枠体と、前記ハンドルに取付けられた操作レバーであって、そのレバーに押し引きされるように接続されたワイヤーの先端側を、前記起伏自在の環状枠体に接続して成る当該枠体の起伏操作機構とを備えたことを特徴とするものである。
【０００７】
本発明では、上記構成の支柱に、水などの液体を入れたペットボトルのような液体容器のホルダを設けた構成としてもよい。
【図面の簡単な説明】
【０００８】
【図１】図１は本発明装置の索引携行時における側面図。
【図２】図２は本発明装置の脱糞時における側面図。
【図３】図３は平面から見た操作レバーの状態と支柱に対する環状枠体の起伏姿勢の関係を説明するための要部を拡大した部分側面図。
【発明を実施するための形態】
【０００９】
次に、本発明装置の実施の形態例について、図に拠り説明する。
図において、１は地上から７０〜８０ｃｍ程度の長さを有するプラスチック製や金属製などの棒材やパイプ材により形成した支柱、２は該支柱の上端に、図の例では直角乃至ほぼ直角な姿勢で固着した、ここでは略長円環状の引手用のハンドルである。このハンドル２の環状は長円形である必要はないのみならず、環状でなくてもよい。すなわち、長円形以外の三角形や四角形の環状、或は、環状以外のバーハンドル状であってもよい。
【００１０】
本発明において、図１，図２における上記支柱１とハンドル２は、図の右方を前方（又は進行方向側）、図の左方を後方（又は非進行側）とする。また、ハンドル２は、その後方側において支柱１の上端に溶接などにより固着されているものであるが、ハンドル２の支柱１への固着手段は溶接に限られるものではなく、ボルト止めなどであってもよい。さらに、ハンドル２の支柱１に対する取付角度は、９０度でない角度、例えば、１００度以上など非直角な角度を設定することができ、また、その非直角な角度から９０度までの角度は、可変に設けてもよい。
【００１１】
３は前記支柱１において、支柱下端部の前方側に溶接などにより取付けた側断面倒立Ｌ字状のキャスタ用ブラケットで、このブラケット３の腕部（水平部）３ａの下面側にキャスタ４が設けられている。キャスタ４は１個又は２個複列に設けることができ、また通常の車輪であってもよい。
【００１２】
５は、上記支柱１の下端部において、前記キャスタ用ブラケット３とは逆向き（後方側）に設けた枠体用ブラケットで、このブラケット５の後端部には、ヒンジ６を介して後述する環状枠体７が前記の水平なブラケット５に対して例えば略９０度（支柱に対して平行）の起立姿勢と略１８０度の倒伏姿勢（水平姿勢、支柱１に対しては９０度）が採れるように設けられている。なお、環状枠体７の倒伏姿勢は、そのブラケット５に対して１８０度以外の角度、例えば、１８０度以上の角度にまで伏倒できるようにしてもよい。１８０度以上の倒伏角度から１８０度の倒伏角度までを可変に設けることもできる。本発明において、上記ハンドル２と環状枠体７の支柱１に対する角度を可変にするとき、ハンドル２と環状枠体７を、その間に、支柱に沿った連結リンクや連結ワイヤ（図示せず）を介在させて連結することにより、ハンドル２と環状枠体７を支柱１に対して平行に角度変更できるようにするとよい。
【００１３】
７は環状枠体であり、該枠体７は、環状の外周縁部７ａとこの縁部７ａに囲まれた穴７ｂを備えた環状体（外輪郭が略四角形乃至略円形の環状）により形成されている。この枠体の穴７ｂには、例えばＰＥ製のいわゆるコンビニ袋のような柔軟な袋による糞回収用の袋状容器８が挿入されて、この袋状容器８の開口縁部８ａが、上記枠体７の縁部７ａを巻いてこの枠体７に取付けられている。なお、図１の環状枠体７は、起立姿勢である。ここで、環状枠体７が起立していると、前記袋状容器８は、図１に示すように袋状容器の本体部８ｂが帽子状の姿で枠体７にほぼ水平な姿勢（横向き姿勢）で保持される。なお、環状枠体７の平面形状は、四角形のほか、台形や円形であってもよく、また、その姿は正四角形や円形のほか、縦長（本発明装置の走行方向に関して）形状であってもよい。
【００１４】
９は支柱１の前方において、中間くらいの高さに配置したボトルホルダで、ここでは上位の環状体９ａと下位の短筒体９ａによって、例えば１リットル〜２リットル程度の容量をもつペットボトル状の容器Ｂを保持するためのものである。この容器Ｂには、連れている犬の小便を洗い流すための水や消臭液などを収容しておく。
【００１５】
１０はハンドル２に取付けた操作レバーで、このレバー１０の押し操作と引き操作によって、このレバー１０の先端部位に後端が固着されたワイヤー１１が進退動作をする。ワイヤー１１の進退動作は、このワイヤー１１の先端１１ａを固着した前記枠体７をヒンジ６を中心に起立，伏倒させる。環状枠体７の起立姿勢は、本発明装置を搬送しているときの姿勢であり、伏倒姿勢は、糞の排泄時に犬の肛門部の下に袋状容器８の開口部を水平姿勢で配置するための姿勢である。
【００１６】
図３において、１２は、操作レバー１０を軸１３を中心に角回転自在に支持したこの操作レバー１２の取付ベースで、操作レバー１０の動作は、点線方向がワイヤー１１のこのベース１２からの押出し、実線方向が該ワイヤー１１のこのベース１２への引張りをすることになる。ワイヤー１１のこの動作によって、当該ワイヤー１１の先端１１ａに固着された環状枠体７は、そのブラケット５に対してヒンジ６を中心に略９０度起立した姿勢から略１８０度伏倒した姿勢へ変化する動作をさせられることとなる。
【００１７】
図３において、１４は操作レバー１０にそのレバー１０と一体に立設された操作レバー１０の回転規制ピンで、このピン１４は取付ベース１２に設けた規制窓１２ａから突出して配設されており、操作レバー１０の角回転が、この窓１２ａの両端に前記ピン１４が当接することにより規制されるようになっている。
以上により、本発明糞回収装置の実施形態の一例を形成するので、次にその使用態様について説明する。
【００１８】
本発明装置は、操作レバー１０を取付ベース１２に対して点線矢印方向（図３参照）に回転させてこのレバー１０を図３の実線位置に位置付けると、ワイヤー１１が図３の点線矢印方向に動作する。この動作によって、水平位置にあった環状枠体７はその水平姿勢から９０度立上って図１並びに図３の実線で示す位置に位置付けられる。
【００１９】
そこで、環状枠体７が立上っている位置で、例えば、いわゆるコンビニ袋による袋状容器８の本体部分８ｂを枠体７の穴７ｂを通して当該容器８の口部分全体を折返す態様で縁７ｂに巻付けると、袋状容器８は、図１に示す態様で環状枠体７に装着された状態になる。
【００２０】
犬を散歩に連れて行く人は、上記の状態（図１参照）の本発明装置のハンドル２を一方の手で掴み本発明装置を前方側へ引くと、支柱１が図１の右方へ傾いてキャスタ４によって本発明装置が散歩に行く人に引張られ、その人と一緒に歩行方向に進行する。このとき、他方の手には散歩に連れて行く犬のリードが握られている。
【００２１】
このようにして散歩をしているとき、連れている犬が便意を催し、排便姿勢に入ったとき、図３の操作レバー１０を実線矢印方向に回転させて前記枠体７を水平姿勢にし（図２参照）、この状態で当該枠体７の穴７ｂの部位を、排便態勢になった前記犬の肛門の真下に位置付けてやる。なお、前記枠体７は、水平以上の角度に傾斜（支柱１が直立ではなく前傾姿勢になる）させることができるようにも設定できる。このためには、規制ピン１４のガイドをする窓１２ａの上部を図より長く形成する。このとき、前記枠体７の傾斜をハンドル２の支柱１に対する傾斜に連動させることができる。この連動機構については、段落００１２に述べた通りで足りる。
【００２２】
ここで環状枠体７の穴７ｂが犬の肛門の下に在ることは、袋状容器８の入口も同じ位置に位置付けられていることになるので、排泄される犬の糞は、水平姿勢で平に潰れた袋状容器８の入口から内部を臨む位置に落下することになる。
【００２３】
そこで、ハンドル２の操作レバー１０を、図３の点線矢印方向に回転させると、環状枠体７が図２の水平姿勢から図１の姿勢に起立するが、袋状容器８の入口に在った糞が自重で当該容器８の内奥に転がり落ちつつこの容器８が前記枠体７に沿った姿になる。
【００２４】
糞が入った袋状容器８を装着している環状枠体７が起立すると、糞が入るときに水平な枠体７の下で横向きであった容器８（図２参照）は、糞の自重によって環状枠体７の起立に伴い縦向きの姿になる。環状枠体７の縁７ａに袋の入口で装着されたままの状態の袋状容器８が縦向きになると、当該枠体７の縁７ａに入口が装着されている袋状容器８は、その入口が当該容器８の本体部８ｂの壁面で塞がれることになる。
【００２５】
そうすると、犬の糞が入った袋状容器８の入口は閉じられた状態で起立した枠体７に支持されるので、このまま本発明装置を引いて自宅に戻り、袋状容器８を枠体７の縁７ａから引き外せば、容器８に入っている糞に一切手を触れることなく、その容器８だけを処理することができる。また、この袋状容器８は糞が入った状態では、その入口が塞がれた状態になるので、糞の臭気が外に拡散されることはない。連れている犬が２回以上の排便をするときは、排便の度に、上記容器８を装着している環状枠体７を水平姿勢にして犬の肛門の下に配置すれば、糞は脱糞の度、袋状容器８に収容される。
【００２６】
本発明は以上の通りであって、散歩に連れていく犬が脱糞する時、その糞を地上に落すことなく回収することができる装置を、ほぼ杖状の支柱と、該支柱の上端部に設けた引手用ハンドルと、前記支柱の下端部において後部側に設けたキャスタと、該キャスタの反対側に起状自在に設けた環状枠体であって、いわゆるコンビニ袋のような袋状容器の口部を開口状態で装着できる枠体と、前記ハンドルに取付けられた操作レバーであってそのレバーに押し引きされるように接続されたワイヤーの先端側を前記起伏自在の環状枠体に接続して成る当該枠体の起伏操作機構とを備えて構成したから、散歩中の犬の糞で道路を汚したり、手を汚してしまうことがなく、犬の糞を回収することができる。
【符号の説明】
【００２７】
１  支柱
２  引手用ハンドル
３  キャスタ用ブラケット
４  キャスタ
５  枠体用ブラケット
６  ヒンジ
７  環状枠体
８  袋状容器
【図１】
2013123432.tif 000003
【図２】
2013123432.tif 000004
【図３】
2013123432.tif 000005